(57)【要約】幼児がスプーンで掬った食事をこぼさずに口に運べるようにすることを課題とする。スプーン１０のスプーン本体２は、窪み２３が形成されたボウル部２１とボウル部２１を基端として延在する柄部２２とからなる。補助具５は、柄部２２の先端部２５から柄部２２の延伸方向と異なる方向に向かって延伸する棒体５２と、棒体５２の先端に固定された錘５１からなる。把持部４は、柄部２２と同じか柄部２２よりも短い長さの孔４１を有している。把持部４は、当該把持部４の孔４１内を柄部２２が回動し得るようにして柄部２２を覆っている。
2014034356.tif 000002
【特許請求の範囲】
【請求項１】
窪みが形成されたボウル部と、
前記ボウル部を基端として一方向に延伸する柄部と、
前記柄部の先端から前記柄部の延伸方向と異なる方向に向かって延伸する棒体と、
前記棒体に固定された錘と、
前記柄部と同じか前記柄部よりも短い長さの孔を有する把持部であって、当該把持部の孔内を前記柄部が回動し得るようにして前記柄部を覆う把持部と
を具備することを特徴とする幼児用スプーン。
【請求項２】
前記ボウル部の窪み方向と前記棒体の延伸方向が同じになるように構成されていることを特徴とする請求項１に記載の乳児用スプーン。
【請求項３】
前記棒体における前記錘が固定されている側と反対側の端部に、前記柄部の先端に装着されるキャップ部が形成されていることを特徴とする請求項２に記載の乳児用スプーン。
【請求項４】
前記柄部と前記棒体の各々には前記柄部の先端に前記キャップ部が装着されたときに前記把持部を両側から挟む鍔が設けられていることを特徴とする請求項３に記載の幼児用スプーン。
【請求項５】
前記ボウル部、前記柄部、前記棒体、及び前記錘がスプーン本体として一体に形成されており、
前記把持部には、前記孔に沿って前記孔の長さ方向に延伸するスリットが形成されており、
前記把持部のスリットを前記柄部に当てて前記柄部の側に押すことにより前記柄部が前記把持部のスリットを押し広げて前記孔内に嵌り込むように構成されている
ことを特徴とする請求項２に記載の幼児用スプーン。
【請求項６】
前記柄部には、前記把持部の長さと略同じ間隔をあけて離間した２つの鍔が設けられていることを特徴とする請求項５に記載の幼児用スプーン。
【請求項７】
前記錘は、略球体の下部における当該球体の半径線と直交する平面を切断面として切り欠いたような形をなしており、前記錘における前記平面は底面を形成し、
前記スプーン本体を前記ボウル部と前記錘の前記底面を下にして置いた場合に前記ボウル部の窪みの縁が水平になるように構成されている
ことを特徴とする請求項６に記載の幼児用スプーン。
【請求項８】
前記ボウル部の窪みの縁は楕円状をなしており、
前記柄部の延伸方向は、前記ボウル部の窪みの縁に対して１５度だけ前記ボウル部の窪み方向と反対側に傾いている
ことを特徴とする請求項７に記載の幼児用スプーン。
【発明の詳細な説明】
【技術分野】
【０００１】
この発明は、幼児の食事を支援する技術に関する。
【背景技術】
【０００２】
特許文献１には、幼児がスプーンを拳で掴むような使い方をする場合におけるスプーンの扱いの未熟さを補う技術の開示がある。図９は、文献１に開示されたスプーン１００とこれを握っている幼児の手１９０を示す図である。このスプーン１００は平面視したときに把手部１０１と匙部１０２が略Ｌ字をなすように屈曲している。この技術によると、幼児は、スプーン１００を把持した拳を器の向こう側から手前に動かして器の中の食べ物を匙部１０２により掬い、そのまま拳を自身の側に動かすことにより、スプーン１００の匙部１０２内の食べ物を口の中に入れることができる。よって、この技術によると、幼児であってもスプーン１００で食事を掬って口に運ぶ動作を比較的簡単に行うことができる。
【先行技術文献】
【特許文献】
【０００３】
【特許文献１】特開平９−２６６８４３号公報
【発明の概要】
【発明が解決しようとする課題】
【０００４】
しかしながら、特許文献１の技術は次のような問題がある。スプーンを使い始めて間もない幼児の多くは、スプーンの匙部により器の中の食物を掬った後、スプーンを把持している側の手首の角度を保ったまま腕だけを口の方に動かして食物を運ぼうとする。手首の角度を変えずに腕だけを口の方に動かすと、手の甲とその中に握られているスプーンの匙部が口の方を向いてしまい、匙部上の食物が横にこぼれてしまう。このため、特許文献１の技術の場合、幼児がスプーンの匙部が水平になるように手首の角度を調整する能力を身につけていない場合は、スプーンで掬った食事をこぼさずに口に運ぶことができない。【０００５】
本発明は、このような課題に鑑みてなされたものであり、幼児がスプーンで掬った食事をこぼさずに口に運べるようにする技術的手段を提供することを目的とする。
【課題を解決するための手段】
【０００６】
上記課題を解決するため、本発明は、窪みが形成されたボウル部と、前記ボウル部を基端として一方向に延伸する柄部と、前記柄部の先端から前記柄部の延伸方向と異なる方向に向かって延伸する棒体と、前記棒体に固定された錘と、前記柄部と同じか前記柄部よりも短い長さの孔を有する把持部であって、当該把持部の孔内を前記柄部が回動し得るようにして前記柄部を覆う把持部とを具備する幼児用スプーンを提供する。【０００７】
本発明の幼児用スプーンでは、ボウル部と錘の間に介在する部材である柄部及び棒体のうち柄部は直線状に延伸しており、棒体は柄部と異なる方向に延伸している。そして、柄部とこれを覆う部材である把持部が相対的に回動し得るようになっている。よって、幼児がスプーンのボウル部により食物を掬った時点における手首の角度を保ったまま腕だけを口のほうに動かし、幼児の拳に握られた把持部が口の側に傾いた場合でも、把持部内の柄部が把持部の傾斜方向と逆の方向に回動してボウル部が上向きに保たれる。従って、幼児は、スプーンのボウル部上の食物をこぼさずに口に入れることができる。
【図面の簡単な説明】
【０００８】
【図１】本発明の第１実施形態である幼児用スプーンを示す図である。
【図２】同スプーンをなすスプーン本体、把持部、補助具を示す図である。
【図３】図２の補助具を矢印Ａ方向から見た図である。
【図４】図２のスプーン本体、把持部、及び補助具の一体化の手順を示す図である。
【図５】本発明の第１実施形態である幼児用スプーンの作用を説明するための図である。
【図６】本発明の第２実施形態である幼児用スプーンを示す図である。
【図７】同スプーンをなすスプーン本体及び把持部を示す図である。
【図８】本発明の他の実施形態である幼児用スプーンを説明するための図である。
【図９】従来技術を説明するための図である。
【発明を実施するための形態】
【０００９】
以下、図面を参照しつつ本発明の実施形態について説明する。
＜第１実施形態＞
図１は、本発明の第１実施形態である幼児用スプーン１０を示す図である。このスプーン１０は、スプーン本体２、把持部４、及び補助具５からなる。図２は、スプーン本体２、把持部４、及び補助具５の各々を個別に示す図である。
【００１０】
図１及び図２に示すように、スプーン本体２は、窪み２３が形成されたボウル部２１と、同部２１を基端として窪み２３から遠ざかる方向に延伸する柄部２２とを有する。ボウル部２１における窪み２３の縁２４は長軸の長さａ１（例えば、ａ１＝３ｃｍ）と短軸の長さｂ１（例えば、ｂ１＝１．５ｃｍ）の寸法を持った楕円状をなしており、この縁２４における長軸ａ１方向に対向する部分の一方に柄部２２の基端がある。
【００１１】
柄部２２は、直径Ｒ１（例えば、Ｒ１＝５ｍｍ）及び長さＬ１（例えば、Ｌ１＝７ｃｍ）の寸法を持った円柱状をなしている。柄部２２の延伸方向はボウル部２１の長軸ａ１方向よりも上方に傾斜している。柄部２２における基端から僅かに離れた位置には鍔２６が設けられている。柄部２２の先端部２５には柄部２２の周壁を螺旋状に周回するねじ山２７が設けられている。
【００１２】
把持部４は、直径Ｒ２（例えば、Ｒ２＝８ｍｍ）及び長さＬ２（例えば、Ｌ２＝６．５ｃｍ）の寸法を持った円筒状をなしている。把持部４は、同部４の両端面間を貫く孔４１を有している。孔４１の直径Ｒ２’は柄部２２の直径Ｒ１よりも僅かに大きくなっている。
【００１３】
補助具５は、錘５１と棒体５２とを有する。図３は、図２の補助具５を矢印Ａ方向から見た図である。この補助具５の錘５１は金属などの物質を球形にしたものである。錘５１の重さはボウル部２１の重さよりも重くなっている。錘５１は棒体５２の一方の端部に固定されている。棒体５２は、直径Ｒ３（例えば、Ｒ３＝６ｍｍ）の円柱を弓なりに曲げたものである。棒体５２における錘５１が固定されている側と反対側の端部にはキャップ部５３が形成されている。キャップ部５３は円筒状をなしている。キャップ部５３の外周面における先端の開口５５から底部５６の側に僅かに離れた位置には鍔５４が設けられている。キャップ部５３の内周面５７の直径Ｒ３’は、柄部２２の直径Ｒ１よりも大きくなっている。
【００１４】
本実施形態では、スプーン本体２、把持部４、及び補助具５を次のような手順で一体化する。まず、スプーン本体２の柄部２２をその先端部２５の側から把持部４の孔４１内に挿入する（図４（Ａ））。次に、スプーン本体２のボウル部２１の窪み方向（ボウル部２１の縁２４の中心から窪み２３の底の中心に向かう方向）と補助具５の棒体５２の延伸方向（棒体５２における錘５１が固定された側の端部が向く方向）を共に下向きにして柄部２２の先端部２５と棒体５２のキャップ部５３とを突き合わせる（図４（Ｂ））。そして、そのまま柄部２２の先端部２５と補助具５のキャップ部５３を近づけて先端部２５をキャップ部５３内に挿入することにより、キャップ部５３を柄部２２の先端部２５に装着する（図４（Ｃ））。
【００１５】
ここで、図１において、スプーン１０の把持部４は、柄部２２の鍔２６と棒体５２の鍔５４により両側から挟まれている。また、スプーン１０の把持部４は、把持部４の孔４１内を柄部２２が回動し得るようにして柄部２２を覆っている。また、スプーン１０におけるスプーン本体２と補助具５はボウル部２１の窪み方向と棒体５２の延伸方向を共に下に向けた状態で一体化されている。このため、スプーン１０の把持部４の向きと鉛直方向の関係の如何に関わらず、補助具５の錘５１は鉛直方向を向き、錘５１と棒体５２及び柄部２２を介して連結されているボウル部２１は鉛直方向と反対の方向（上方向）を向いた状態が保たれる。
【００１６】
以上が、本実施形態の構成の詳細である。本実施形態によると、次の効果が得られる。
第１に、本実施形態の幼児用スプーン１０では、ボウル部２１と錘５１の間に介在する部材である柄部２２及び棒体５２のうち柄部２２は直線状に延伸しており、棒体５２は柄部２２と異なる方向に延伸している。そして、柄部２２とこれを覆う部材である把持部４が相対的に回動し得るようになっている。よって、図５に示すように、幼児がスプーン１０のボウル部２１により食物を掬った時点における手首の角度を保ったまま腕だけを口のほうに動かし、幼児の拳に握られた把持部４が口の側に傾いた場合でも、把持部４内の柄部２２が把持部４の傾斜方向（図５の矢印Ｂ方向）と逆の方向（図５の矢印Ｂ’方向）に回動してボウル部２１が上向きに保たれる。従って、幼児は、スプーン１０のボウル部２１上の食物をこぼさずに口に入れることができる。
【００１７】
第２に、本実施形態の幼児用スプーン１０は、スプーン本体２（ボウル部２１及び柄部２２）と、補助具５（棒体５２及び錘５１）と、把持部４とからなる。そして、幼児用スプーン１０は、スプーン本体２のボウル部２１の窪み方向と補助具５の棒体５２の延伸方向を共に下に向けてスプーン本体２及び補助具５を一体化することにより、ボウル部２１の窪み方向と棒体５２の延伸方向が同じになるように構成されている。よって、幼児用スプーン１０では、ボウル部２１の窪み２３の底は常に鉛直方向を向き、ボウル部２１の窪み２３の縁２４は常に鉛直方向の反対側（上方向）を向くことになる。従って、ボウル部２１の窪み方向と棒体５２の延伸方向が同じでないものよりも食べ物をこぼれ難くすることができる。
【００１８】
第３に、本実施形態の幼児用スプーン１０では、補助具５の棒体５２における錘５１が固定されている側と反対側の端部にキャップ部５３が形成されている。よって、スプーン本体２の先端部２５をキャップ部５３内に挿入してスプーン本体２と補助具５を連結し、スプーン本体２の先端部２５をキャップ部５３から抜き取ってスプーン本体２と補助具５を分離する、といった着脱操作を容易に行うことができる。従って、幼児用スプーン１０を清潔に保つために不可欠な作業である柄部２２の外周面や把持部４の孔４１の内周面の洗浄を簡単に行うことができる。
【００１９】
第４に、本実施形態の幼児用スプーン１０における柄部２２及び棒体５２には柄部２２の先端部２５にキャップ部５３が装着されたときに把持部４を両側から挟む鍔２６及び５４が設けられている。そして、柄部２２の先端部２５にキャップ部５３が装着された状態（図１）における鍔２６及び５４間の距離は柄部２２の長さＬ２と同じになっている。このため、柄部２２の先端部２５にキャップ部５３が装着された状態において、柄部２２の回動軸と平行な方向への動きは鍔２６及び５４により規制される。従って、幼児用スプーン１０の柄部２２がボウル部２１の側に動いたり棒体５２の側に動いたりして扱い難くなる、という事態の発生を防止することができる。
【００２０】
＜第２実施形態＞
図６は、本発明の第２実施形態である幼児用スプーン１０Ａを示す図である。図７（Ａ）は、幼児用スプーン１０Ａにおけるスプーン本体１９０と把持部１０４を分離した状態を示す図である。図６及び図７（Ａ）に示すように、このスプーン１０Ａでは、ボウル部１２１、柄部１２２、棒体１５２、及び錘１５１がスプーン本体１９０として一体不可分に形成されている。また、このスプーン１０Ａでは、把持部１０４には同部１０４内の孔１４１に沿って孔１４１の長さ方向に延伸するスリットＳＬが設けられている。
【００２１】
図７（Ａ）において、錘１５１は、略球体の下部を当該球体の半径線と直交する平面を切断面として切り欠いたような形をなしている。この錘１５１の下部の平らな面は底面ＢＴを形成している。錘１５１における底面ＢＴと反対側の部分は棒体１５２の下端と繋がっている。棒体１５２は、底面ＢＴのある側と反対側に向って延伸している。棒体１５２の先端は柄部１２２と繋がっている。棒体１５２と柄部１２２は鋭角に交差している。ボウル部１２１は柄部１２２における棒体１５２の側と反対側の端部と繋がっている。
【００２２】
ボウル部１２１における窪み１２３の縁１２４は長軸の長さａ１１（ａ１＝３．４ｃｍ）と短軸の長さｂ１１（ｂ１１＝２ｃｍ）の寸法を持った楕円状をなしている。ボウル部１２１の窪み方向（ボウル部１２１の縁１２４の中心から窪み１２３の底の中心に向かう方向）と棒体１５２の延伸方向は同じである。ボウル部１２１の基端部における柄部１２２の延伸方向は、ボウル部１２１の窪み１２３の縁１２４に対してθ１（θ１＝１５度）だけ窪み方向と反対側に傾いている。柄部１２２には、２つの鍔部１２６及び１５４が設けられている。この２つの鍔部１２６及び１５４は、把持部１０４の長さと同じ間隔をあけて離間している。
【００２３】
ボウル部１２１の縁１２４は、錘１５１の底面ＢＴと平行になっている。図７（Ａ）に示すように、スプーン本体１９０をボウル部１２１の底と錘１５１の底部ＢＴを下にして置いた場合において、ボウル部１２１の窪み１２３の縁１２４は水平（スプーン本体１９０を置いた面と平行）になる。
【００２４】
図７（Ｂ）は、図７（Ａ）の把持部１０４を矢印Ｂ方向から見た図である。図７（Ｃ）は、図７（Ｂ）を矢印Ｃ方向から見た図である。図７（Ｂ）及び図７（Ｃ）に示すように、把持部１０４のスリットＳＬの幅は、孔１４１及び柄部１２２の直径よりも小さくなっている。このため、このスプーン１０Ａは、把持部１０４のスリットＳＬを柄部１２２に当てて柄部１２２の側に押すことにより柄部１２２が把持部１０４のスリットＳＬを押し広げて孔１４１内に嵌り込むようになっている。柄部１２２が把持部１０４の孔１４１内に嵌った状態では、柄部１２２は、把持部１０４の孔１４１内を回動し得る。
【００２５】
以上が、本実施形態の構成の詳細である。本実施形態によると、次の効果が得られる。
第１に、本実施形態では、ボウル部１２１、柄部１２２、棒体１５２、及び錘１５１がスプーン本体１９０として一体に形成されており、把持部１０４には同部１０４内の孔１４１に沿って孔１４１の長さ方向に延伸するスリットＳＬが設けられている。そして、把持部１０４のスリットＳＬを柄部１２２に押し当てて柄部１２２の側に押すことにより柄部１２２が把持部１０４のスリットＳＬを押し広げて孔１４１内に嵌まり込むように構成されている。よって、本実施形態によると、スプーン本体１９０への把持部１０４の装着をより一層簡単に行うことができる。また、本実施形態では、錘１５１がスプーン本体１９０から分離できないようになっているため、幼児が錘１５１を飲み込んでしまう、といった事故の発生を防止することができる。また、本実施形態では、部品の点数が第１実施形態よりも少なくて済むため、コスト面で有利となる。
【００２６】
第２に、本実施形態では、錘１５１は、略球体の下部を当該球体の半径線と直交する平面を切断面として切り欠いたような形をなしており、この錘１５１の下部の平面は底面ＢＴを形成しており、スプーン本体１９０をボウル部１２１の底と錘１５１の底部ＢＴを下にして置いた場合において、ボウル部１２１の窪み１２３の縁１２４は水平（スプーン本体１９０を置いた面と平行）となる。このため、幼児であっても、把持しているスプーン１０Ａを食卓上に置き、食卓上のスプーン１０Ａを握って持ち上げる、といった操作を容易く行うことができる。また、ボウル部１２１の中にスープなどの液体を入れて食卓の上に置いたとしても、ボウル部１２１内の液体がボウル部１２１の外にこぼれることない。よって、幼児であっても、食卓上を食べ物で汚すことなく、スプーン１０Ａを使った食事を行うことができる。
【００２７】
第３に、本実施形態では、ボウル部１２１の窪み１２３は、長軸ａ１１の長さが３．４ｃｍで短軸ｂ１１の長さが２ｃｍの寸法を持った楕円状の縁１２４を有しており、柄部１２２の延伸方向は、ボウル部１２１の窪み１２３の縁１２４を含む面に対してθ１（θ１＝１５度）だけボウル部１２１の窪み方向と反対側に傾いている。ここで、図７（Ａ）に示すように、柄部１２２の傾斜角度θ１が大きくなると、スプーン本体１９０の柄部１２２を把持部１０４の孔１４１内に嵌め込んで両者を一体化した状態における柄部１２２の回転軸ＡＸとボウル部１２１の先端部との間の距離Ｄが大きくなり、ボウル部１２１の回転に勢いがつき易くなる。一方、柄部１２２の傾斜角度θ１が小さくなると、スプーン本体１９０の柄部１２２を把持部１０４の孔１４１内に嵌め込んで両者を一体化した状態における柄部１２２の回転軸ＡＸとボウル部１２１の先端部との間の距離Ｄが小さくなり、ボウル部１２１の回転に勢いがつき難くなる。本願発明者は、柄部１２２の傾斜角度θ１を様々に変えた試作品を作り、幼児に持たせて食べ物を食べる様子を確認したところ、幼児が最も違和感なくスプーン１０Ａを扱えるのは傾斜角度θ１をθ１＝１５度にした場合であることを確認した。
【００２８】
以上、本発明の第１及び第２実施形態について説明したが、かかる実施形態に以下の変形を加えてもよい。
（１）上記第１実施形態では、棒体５２は円柱を弓なりに湾曲させたような形状をなしていた。しかし、棒体５２をＬ字状の部材にしてもよい。また、棒体５２を柄部２２の先端部２５から柄部２２の延伸方向と異なる方向（例えば、柄部２２の延伸方向に対して３０度傾いた方向）に向かって延伸する直線状の部材としてもよい。要するに、棒体５２の延伸方向と柄部２２の延伸方向が異なっており、棒体５２の先端に錘５１が固定されていればよい。
【００２９】
（２）上記第１実施形態では、スプーン１０は、スプーン本体２（ボウル部２１及び柄部２２）と、補助具５（棒体５２及び錘５１）と、把持部４とからなり、これらは分離できるようになっていた。しかし、柄部２２と棒体５２を一体の部材（例えば、把持部４の孔４１とほぼ同じ長さだけ直線状に延伸した直線部分とその先の湾曲部分とからなるＪ字状の部材）とし、ボウル部２１、柄部２２、棒体５２、及び錘５１を分離できないように構成してもよい。
【００３０】
（３）上記第１実施形態において、柄部２２の先端部２５とキャップ部５３の内周面５７に、互いに嵌合し合う凹凸を設け、この凹凸を嵌合させるようにして柄部２２の先端部２５にキャップ部５３を装着するようにしてもよい。図８は、この実施形態である幼児用スプーンの補助具５（錘５１及び棒体５２）と柄部２２を示す図である。この幼児用スプーンでは、棒体５２のキャップ部５３の内周面５７における棒体５２の延伸方向の側に凸部７１が設けられている。また、この幼児用スプーンでは、柄部２２の先端部２５におけるボウル部２１の窪み方向の側の部分に凹部７２が設けられている。この幼児用スプーンでは、柄部２２の先端部２５の凹部７２とキャップ部５３の内周面５７の凸部７１を嵌合させるようにして先端部２５にキャップ部５３を装着することより、ボウル部２１の窪み方向に対して棒体５２の延伸方向が傾いた状態で両者を一体化してしまう、という事体の発生が防止される。
【符号の説明】
【００３１】
２、１９０…スプーン本体、４…把持部、５…補助具、１０、１０Ａ…幼児用スプーン、２１、１２１…ボウル部、２２、１２２…柄部、２３…窪み、２４…縁、２５…先端部、２６、５４、１２６、１５４…鍔、２７…ねじ山、４１、１４１…孔、５１、１５１…錘、５２、１５２…棒体、５３…キャップ、５５…開口、５６…底、５７…内周面。
【図１】
2014034356.tif 000003
【図２】
2014034356.tif 000004
【図３】
2014034356.tif 000005
【図４】
2014034356.tif 000006
【図５】
2014034356.tif 000007
【図６】
2014034356.tif 000008
【図７】
2014034356.tif 000009
【図８】
2014034356.tif 000010
【図９】
2014034356.tif 000011
【手続補正書】
【提出日】平成26年10月21日(2014.10.21)
【手続補正１】
【補正対象書類名】特許請求の範囲
【補正対象項目名】全文
【補正方法】変更
【補正の内容】
【特許請求の範囲】
【請求項１】
窪みが形成されたボウル部と、
前記ボウル部を基端として一方向に延伸する柄部と、
前記柄部の先端から前記柄部の延伸方向と異なる方向に向かって延伸する棒体と、
前記棒体に固定された錘と、
前記柄部と同じか前記柄部よりも短い長さの孔を有する把持部であって、当該把持部の孔内を前記柄部が回動し得るようにして前記柄部を覆う把持部と
を具備することを特徴とする幼児用スプーン。
【請求項２】
前記ボウル部の窪み方向と前記棒体の延伸方向が同じになるように構成されていることを特徴とする請求項１に記載の幼児用スプーン。
【請求項３】
前記棒体における前記錘が固定されている側と反対側の端部に、前記柄部の先端に装着されるキャップ部が形成されていることを特徴とする請求項２に記載の幼児用スプーン。
【請求項４】
前記柄部と前記棒体の各々には前記柄部の先端に前記キャップ部が装着されたときに前記把持部を両側から挟む鍔が設けられていることを特徴とする請求項３に記載の幼児用スプーン。
【請求項５】
前記ボウル部、前記柄部、前記棒体、及び前記錘がスプーン本体として一体に形成されており、
前記把持部には、前記孔に沿って前記孔の長さ方向に延伸するスリットが形成されており、
前記把持部のスリットを前記柄部に当てて前記柄部の側に押すことにより前記柄部が前記把持部のスリットを押し広げて前記孔内に嵌り込むように構成されている
ことを特徴とする請求項２に記載の幼児用スプーン。
【請求項６】
前記柄部には、前記把持部の長さと略同じ間隔をあけて離間した２つの鍔が設けられていることを特徴とする請求項５に記載の幼児用スプーン。
【請求項７】
前記錘は、略球体の下部における当該球体の半径線と直交する平面を切断面として切り欠いたような形をなしており、前記錘における前記平面は底面を形成し、
前記スプーン本体を前記ボウル部と前記錘の前記底面を下にして置いた場合に前記ボウル部の窪みの縁が水平になるように構成されている
ことを特徴とする請求項６に記載の幼児用スプーン。
【請求項８】
前記ボウル部の窪みの縁は楕円状をなしており、
前記柄部の延伸方向は、前記ボウル部の窪みの縁に対して１５度だけ前記ボウル部の窪み方向と反対側に傾いている
ことを特徴とする請求項７に記載の幼児用スプーン。
【国際調査報告】
2014034356.tif 000012
2014034356.tif 000013
2014034356.tif 000014
2014034356.tif 000015